【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
入力した画像の変化量を検知して所定量以上の変化量を有する期間の画像を検知画像として記憶する画像処理装置に接続される表示装置であって、
前記変化量の変化履歴及び前記検知画像を受信する受信手段と、
前記変化履歴をグラフ状に表示すると共に、該グラフ上に前記検知画像に関する情報を重ねて表示することを特徴とする表示装置。
【請求項２】
前記検知画像に関する情報として、前記検知画像が入力された時間に対応する位置に所定の記号を表示することを特徴とする請求項１に記載の表示装置。
【請求項３】
前記検知画像に関する情報として、前記記号と前記検知画像の縮小画像を表示することを特徴とする請求項２に記載の表示装置。
【請求項４】
ユーザによって操作され選択や指示を入力するための操作手段を更に備え、
前記記号が前記操作手段によって選択されたときに、前記表示装置は、対応する画像データを別のウィンドウ内に表示することを特徴とする請求項２に記載の表示装置。
【請求項５】
前記検知の開始時点の検知画像、前記検知の終了時点の検知画像、及び前記検知の開始と終了の間の検知画像それぞれに対して異なった記号を表示することを特徴とする請求項２に記載の表示装置。
【請求項６】
前記検知の開始から前記検知の終了時点までの一連の検知画像群を単位として、各検知画像群を他の検知画像群と識別可能な記号で表示することを特徴とする請求項２に記載の表示装置。
【請求項７】
前記検知の開始から前記検知の終了時点までの一連の検知画像群の記号を、図形的に連結した形態で表示することを特徴とする請求項２に記載の表示装置。
【請求項８】
入力される画像データを所定の時間間隔で符号化する符号化手段と、
前記時間間隔の画像データ間の差分に基づいて、前記画像データにおける変化量が所定量を超えたか否かを検知する変化検知手段と、
前記変化量の時間的推移を表す変化履歴を記憶すると共に、前記検知手段によって前記変化量が前記所定量を超えたと検知されたときに、対応する符号化された画像データを検知画像として記憶する記憶手段と、を備える画像処理装置。
【請求項９】
前記記憶手段は、前記変化量が前記所定量を超えたときから前記所定量以下となるまで所定の時間間隔で対応する符号化された画像データを時間情報と共に記憶することを特徴とする請求項８に記載の画像処理装置。
【請求項１０】
前記変化検知手段は、前記画像データの予め設定された複数の領域内における前記変化量を検知し、
前記記憶手段は、前記変化履歴と前記検知画像を各領域に対して記憶することを特徴とする請求項８又は９に記載の画像処理装置。
【請求項１１】
請求項８に記載された画像処理装置に接続され、前記変化履歴及び前記検知画像を表示する表示装置であって、
前記符号化された画像データを復号する復号手段と、
前記変化履歴をグラフ状に表示すると共に、該グラフ上に前記検知画像に関する情報を重ねて表示する表示手段と、を備えることを特徴とする表示装置。
【請求項１２】
前記表示手段は、前記検知画像に関する情報として、前記検知画像が入力された時間に対応する位置に所定の記号を表示することを特徴とする請求項１１に記載の表示装置。
【請求項１３】
前記表示手段は、前記検知画像に関する情報として、前記記号と前記検知画像の縮小画像を表示することを特徴とする請求項１２に記載の表示装置。
【請求項１４】
ユーザによって操作され選択や指示を入力するための操作手段を更に備え、
前記記号が前記操作手段によって選択されたときに、前記表示装置は、対応する画像データを別のウィンドウ内に表示することを特徴とする請求項１２に記載の表示装置。
【請求項１５】
前記表示手段は、前記検知の開始時点の検知画像、前記検知の終了時点の検知画像、及び前記検知の開始と終了の間の検知画像それぞれに対して異なった記号を表示することを特徴とする請求項１２に記載の表示装置。
【請求項１６】
前記表示手段は、前記検知の開始から前記検知の終了時点までの一連の検知画像群を単位として、各検知画像群を他の検知画像群と識別可能な記号で表示することを特徴とする請求項１２に記載の表示装置。
【請求項１７】
前記表示手段は、前記検知の開始から前記検知の終了時点までの一連の検知画像群の記号を、図形的に連結した形態で表示することを特徴とする請求項１２に記載の表示装置。 
【請求項１８】
請求項１０に記載された画像処理装置に接続され、前記変化履歴及び前記検知画像を表示する表示装置であって、
前記符号化された画像データを復号する復号手段と、
ユーザによって操作され選択や指示を入力するための操作手段と、
前記操作手段によって選択された前記複数の領域のいずれか１つに対して、前記変化履歴をグラフ状に表示すると共に、該グラフ上に前記複数の領域それぞれの前記検知画像に関する情報を重ねて表示する表示手段と、を備えることを特徴とする表示装置。
【請求項１９】
画像を撮影して画像データを出力するカメラと、前記画像データを所定の時間間隔で符号化する符号化手段と、前記時間間隔の画像データ間の差分に基づいて、前記画像データにおける変化量が所定量を超えたか否かを検知する変化検知手段と、前記変化量の時間的推移を表す変化履歴を記憶すると共に、前記検知手段によって前記変化量が前記所定量を超えたと検知されたときに、対応する符号化された画像データを検知画像として記憶する記憶手段と、を備える画像処理装置と、
前記符号化された画像データを復号する復号手段と、ユーザによって操作され選択や指示を入力するための操作手段と、前記変化履歴をグラフ状に表示すると共に、該グラフ上に前記検知画像に関する情報を重ねて表示する表示手段と、を備えた表示装置と、を備え、
前記画像処理装置と前記表示装置とがネットワークを介して接続されていることを特徴とする画像処理システム。
【請求項２０】
入力される画像データを所定の時間間隔で符号化する符号化工程と、
前記時間間隔の画像データ間の差分に基づいて、前記画像データにおける変化量が所定量を超えたか否かを検知する変化検知工程と、
前記変化量の時間的推移を表す変化履歴を記憶すると共に、前記検知工程によって前記変化量が前記所定量を超えたと検知されたときに、対応する符号化された画像データを検知画像として記憶する記憶工程と、
前記変化履歴をグラフ状に表示すると共に、該グラフ上に前記検知画像に関する情報を重ねて表示する表示工程と、を備える画像処理方法。
【請求項２１】
カメラから出力された画像データを処理する画像処理装置と、該画像処理装置から出力された情報に基づいて表示を行う表示装置とがネットワークを介して接続されている画像処理システムにおける画像情報の表示方法であって、
前記画像処理装置において、
前記カメラから出力された画像データを所定の時間間隔で符号化する符号化工程と、
前記時間間隔の画像データ間の差分に基づいて、前記画像データにおける変化量が所定量を超えたか否かを検知する変化検知工程と、
前記変化量の時間的推移を表す変化履歴を記憶すると共に、前記検知工程によって前記変化量が前記所定量を超えたと検知されたときに、対応する符号化された画像データを検知画像として記憶する記憶工程と、
前記表示装置において、
前記変化履歴及び前記検知画像を前記画像処理装置から受信する工程と、
前記符号化された画像を復号する復号工程と、
前記変化履歴をグラフ状に表示すると共に、該グラフ上に前記検知画像に関する情報を重ねて表示するグラフ表示工程と、
表示された前記検知画像に関する情報のいずれかがユーザの操作する操作手段によって選択されたときに、対応する検知画像を別のウィンドウに表示する画像表示工程と、を備えることを特徴とする画像情報の表示方法。
【請求項２２】
入力した画像の変化量を検知して所定量以上の変化量を有する期間の画像を検知画像として記憶する画像処理装置に接続される表示装置に画像を表示させる表示方法であって、  前記変化量の変化履歴及び前記検知画像を受信する受信工程と、
前記変化履歴をグラフ状に表示すると共に、該グラフ上に前記検知画像に関する情報を重ねて表示する表示工程と、を備えることを特徴とする表示方法。
【請求項２３】
入力した画像の変化量を検知して所定量以上の変化量を有する期間の画像を検知画像として記憶する画像処理装置に接続される表示装置に画像を表示させるコンピュータプログラムであって、
前記変化量の変化履歴及び前記検知画像を受信する受信工程と、
前記変化履歴をグラフ状に表示すると共に、該グラフ上に前記検知画像に関する情報を重ねて表示する表示工程と、に対応したプログラムコードを含むことを特徴とするコンピュータで実行可能なプログラム。
【手続補正２】
【補正対象書類名】明細書
【補正対象項目名】発明の名称
【補正方法】変更
【補正の内容】
【発明の名称】表示装置、画像処理装置、画像処理システム、画像処理方法、表示方法、及びプログラム
【手続補正３】
【補正対象書類名】明細書
【補正対象項目名】００３６
【補正方法】変更
【補正の内容】
【００３６】
図２において、カメラ２０１から入力した画像信号はＡ／Ｄ変換部２０２でデジタル化され、符号化部２０３において符号化される。ここで符号化の方式はＪＰＥＧやＭＰＥＧなどがあるが、本実施形態は符号化の方式に依存するものではない。次に、変化検知部２０５において画像の変化検知処理が行われる。変化検知部２０５における変化量の履歴や変化検知時の蓄積画像は、変化履歴蓄積部２０７において保存・管理される。符号化された画像や、変化検知処理結果、変化履歴、変化検知時の蓄積画像は、設定クライアントからの要求に応じて送信部２０４から送信される。また受信部２０６は、設定クライアントから送信された、符号化や変化検知の設定、ライブ画像要求、変化履歴要求、蓄積画像要求などを受信する。
【手続補正４】
【補正対象書類名】明細書
【補正対象項目名】００６９
【補正方法】変更
【補正の内容】
【００６９】
ステップＳ９０６において、発生したイベントが変化履歴取得イベントでないと判定された場合には、ステップＳ９０９に進んで、発生したイベントが蓄積画像要求イベントかどうかを判定する。この蓄積画像要求イベントは、図６に関して説明したように、変化履歴グラフ６０４上の画像に対応する記号６０５をユーザがポインティングデバイスで選択（クリック）することにより発生する。発生したイベントが蓄積画像要求イベントである場合には、ステップＳ９１０に進み蓄積画像をカメラサーバから取得し、ステップＳ９１１で取得した画像を表示する。その後ステップＳ９０５に戻り次のイベント待ちとなる。